(57)【要約】【課題】使用者の皮膚健康増進効果を提供する皮膚美容マスク装置の提供。【解決手段】本発明は、使用者の皮膚健康増進効果を提供する皮膚美容マスク装置に関し、フェイスマスク、前記フェイスマスクに装着され、使用者の顔に熱または遠赤外線を利用して美容効果を与えるマスクパッド、そして、前記マスクパッドに電流を供給し、前記使用者の顔に熱と遠赤外線を発散するように制御できる制御部を含む。【選択図】図１
2019193770.tif 000002
【特許請求の範囲】
【請求項１】
フェイスマスク、
前記フェイスマスクに形成されており、使用者の顔に熱または遠赤外線を利用して美容効果を与えるマスクパッド、そして、
前記マスクパッドの特定部位に電流を差等供給することができ、前記使用者の顔に熱または遠赤外線を差等的に発散するように制御する制御部
を含む、皮膚美容マスク装置。
【請求項２】
前記マスクパッドに連結されており、前記マスクパッドから所定間隔離れているリモコンをさらに含み、前記制御部は、前記リモコンに形成されており、前記リモコンを通して前記マスクパッドに電流が供給される、請求項１に記載の皮膚美容マスク装置。
【請求項３】
前記リモコンに形成されている電源部をさらに含む、請求項２に記載の皮膚美容マスク装置。
【請求項４】
前記フェイスマスクに形成されるバッテリーをさらに含んでおり、
前記制御部は、前記フェイスマスクに形成されており、前記バッテリーから出力される電流を前記マスクパッドの特定部位に差等供給し、前記使用者の顔に熱または遠赤外線を差等的に発散するように制御する、
請求項１に記載の皮膚美容マスク装置。
【請求項５】
金または銀が含まれているファブリック顔面マスクをさらに含んでおり、
前記ファブリック顔面マスクは、前記マスクパッドから伝達される熱または遠赤外線を通して、前記金が提供する皮膚老廃物を除去および血液循環を増進させる機能と、前記銀が提供する細菌を殺菌する機能を前記使用者の顔の皮膚に直接的に提供する、請求項１に記載の皮膚美容マスク装置。
【請求項６】
前記マスクパッドは、
熱と遠赤外線を発生する遠赤外線発生パッド、そして、
熱と遠赤外線を反射する遠赤外線反射パッド
を含んでおり、
前記遠赤外線発生パッドは、前記フェイスマスクの一面に形成されており、前記遠赤外線反射パッドは、前記遠赤外線発生パッドの一面に形成されており、前記遠赤外線反射パッドは、前記遠赤外線発生パッドで発生する熱および遠赤外線を前記使用者の顔方向に反射させる、
請求項１に記載の皮膚美容マスク装置。
【請求項７】
前記遠赤外線発生パッドは、面状発熱体パッドであって、
第１フレキシブル基板層、
前記第１フレキシブル基板上に銀ペーストが第１パターンを有するように印刷されており、電流が供給される場合に熱が発生する熱発生層、および
カーボン系のグラファイトまたはカーボンナノチューブ（ＣＮＴ：Ｃａｒｂｏｎ  Ｎａｎｏ  Ｔｕｂｅ）が前記熱発生層上に第２パターンを有するように印刷されており、前記熱発生層で発生する熱を利用して遠赤外線を発生させる遠赤外線発生層
を含む、
請求項６に記載の皮膚美容マスク装置。
【請求項８】
前記遠赤外線発生パッドは、２つ以上の遠赤外線発生部を含み、前記２つ以上の遠赤外線発生部は、互いに離隔されている、請求項６に記載の皮膚美容マスク装置。
【請求項９】
前記遠赤外線反射パッドは、第２フレキシブル基板層、および前記第２フレキシブル基板上に銀ペーストが形成されている遠赤外線反射層を含む、請求項６に記載の皮膚美容マスク装置。
【請求項１０】
前記遠赤外線反射パッドは、前記遠赤外線反射層の上に形成されている金蒸着層をさらに含む、請求項９に記載の皮膚美容マスク装置。
【請求項１１】
前記制御部の制御信号入力のための入力部をさらに含み、前記入力部は、手動操作を通して制御信号を生成するか、または音を通して前記制御信号を生成する、請求項１に記載の皮膚美容マスク装置。
【請求項１２】
通信部、そして、
前記マスクパッドに連結されており、前記制御部が形成されており、前記マスクパッドから所定間隔離れているリモコン
をさらに含み、
前記リモコンは、前記通信部と通信を遂行して前記制御部を遠隔で制御し、前記制御部で生成した動作状態信号を受信して前記皮膚美容マスク装置の動作状態情報を表示する、
請求項１に記載の皮膚美容マスク装置。
【請求項１３】
前記マスクパッドに連結されており、前記マスクパッドから所定間隔離れているリモコン、そして、
前記リモコンと通信を遂行して連動する移動通信端末機
をさらに含み、
前記移動通信端末機は、
カメラモジュールを含み、前記カメラモジュールを通して使用者の顔イメージ情報を生成し、前記使用者の顔イメージ情報を分析して前記使用者の顔の特定部位の皮膚状態を把握し、前記使用者の顔の特定部位の皮膚状態に対する情報を有している使用者の顔の皮膚状態情報を前記リモコンに伝送し、
前記リモコンは、前記使用者の顔の皮膚状態情報を利用して、前記使用者の顔の該当部位に位置する前記マスクパッドの特定部位の電流供給を制御して熱または遠赤外線を前記使用者の顔部位の皮膚状態によって差等的に供給する、
請求項１に記載の皮膚美容マスク装置。
【請求項１４】
前記マスクパッドは、熱と遠赤外線を発生する遠赤外線発生パッドおよび熱と遠赤外線を反射する遠赤外線反射パッドを含んでおり、
前記遠赤外線反射パッドは、金を含む金箔シート、銀を含む銀箔シート、金と銀が混合されている混合シートのいずれか一つを含み、前記使用者の顔が位置する部分に遠赤外線または熱が一様に広がるようにする、請求項１に記載の皮膚美容マスク装置。
【請求項１５】
金または銀成分が全体的に含まれているファブリック顔面マスクをさらに含み、前記ファブリック顔面マスクは、使用者の顔の老廃物状態を表示できる皮膚状態表示部を含む、請求項１に記載の皮膚美容マスク装置。
【請求項１６】
フェイスマスク、
前記フェイスマスクに形成されており、金と銀を含む複合層構造で形成され、使用者の顔に熱または遠赤外線を利用して美容効果を与えるマスクパッド、そして、
電流供給と温度調節を制御できる制御部
を含み、
前記マスクパッドは、
前記フェイスマスクの一面に形成されており、熱と遠赤外線を発生する遠赤外線発生パッド、および
前記遠赤外線発生パッドの一面に形成されており、熱と遠赤外線を使用者の顔方向に反射する遠赤外線反射パッド
を有する、
金と銀を含む複合層構造が適用された皮膚美容マスク装置。
【請求項１７】
前記遠赤外線発生パッドは、銀ペーストが第１パターンを有するように印刷されている熱発生層、そして、カーボン系のグラファイトまたはカーボンナノチューブが前記熱発生層上に第２パターンを有するように印刷されている遠赤外線発生層を含み、
前記遠赤外線反射パッドは、金を含む金箔シート、銀を含む銀箔シート、金と銀が混合されている混合シートのいずれか一つを含む、
請求項１６に記載の金と銀を含む複合層構造が適用された皮膚美容マスク装置。
【発明の詳細な説明】
【技術分野】
【０００１】
本発明は、遠赤外線と熱を利用して皮膚美容効果を提供する皮膚美容マスクおよび金と銀を含む複合層構造が適用された皮膚美容マスク装置に関する。
【背景技術】
【０００２】
皮膚治療機器は、電気手術装備、脂肪吸引装置、微細剥皮術、光線療法装置、冷凍療法装置、レーザを利用する治療装置等に分類できる。
【０００３】
このような皮膚治療機器には、貴金属が利用されることもあるが、代表的な貴金属としては、金（Ａｕ）と銀（Ａｇ）がある。
【０００４】
金（Ａｕ）と銀（Ａｇ）は、古代から健康と皮膚美容に多く使用される貴金属である。
【０００５】
まず、金（Ａｕ）は、本草綱目には、「金を外用に使用すると、慢性的な皮膚疾患と傷の炎症を好転させ、血液循環を促進して皮膚美容に効果が大きい。」と言及されている。
【０００６】
唐時代の人々が化粧品を作るのに金を使用したという記録が残っており、クレオパトラや楊貴妃もまた金を美容原料として使用したとも伝えられる。これは、金が皮膚浄化と解毒作用、そして皮膚のトーンを改善する役割を果たすためである。
【０００７】
これだけではなく、金は、ホルモン分泌を活性化させることでコラーゲンの生成を助け、老廃物の吸着、排出を通してデトックス効果を得るようになり、暗い顔色を改善させることのできる皮膚のトーンの改善と皮膚弾力に役立つことができ、老化予防にもよく、セルライトを分解してスリムなラインを形成するにも役立つ。
【０００８】
銀（Ａｇ）は、少なくとも１２００年間殺菌剤として使用してきている。過去から銀製コップ、食器を利用して病気の感染を防いできており、銀箱を作って食べ物の腐敗を防いでいた。現在、銀は、銀鐫を皿に入れて殺菌消毒用に使用しており、銀粉で火傷の治療に使用されている。
【０００９】
特に、米国のＮＡＳＡ（航空宇宙局）は、銀を宇宙船（Ｓｐａｃｅ  Ｓｈｕｔｔｌｅ）内の浄水器システムとして採択し、全世界の航空会社の半分以上が浄水器システムとして採択しており、その殺菌力が世界的に認められている。
【００１０】
この他にも、銀（Ａｇ）は、各種の疾病予防および治療に役立ち、病気に対する人体の抵抗力増進、疲労回復、便秘調節、消炎、鎮痛、血圧調節および皮膚改善に効果がある。
【００１１】
近年、顔の皮膚鎮静、皮膚美容、毛穴管理等の関心が高まるにつれ、光線理美容機器の普及が多くなる傾向にある。
【００１２】
この中で、光線理美容機器は、病院や皮膚管理室だけではなく、消費者が直接家庭で使用できる製品が作製されて販売されている。
【００１３】
このような光線理美容機器のうち、現在、ＬＥＤを用いた理美容マスクがほとんどである。このようなＬＥＤ理美容マスクは、光の各波長別に皮膚の状態によって適用することができ、皮膚管理効果に適している。
【００１４】
しかし、既存の光を用いたフェイスマスク皮膚美容装置は、ＬＥＤの使用による微細電磁波による瞼の震え等が副作用として現れており、光による効能はあるが、熱による化粧品の吸収力上昇と血液循環改善等のような効能は乏しい。
【先行技術文献】
【特許文献】
【００１５】
【特許文献１】大韓民国登録特許第１０−１７８６４００号（顔面皮膚管理のための温熱マスク）
【発明の概要】
【発明が解決しようとする課題】
【００１６】
本発明が解決しようとする課題は、熱と遠赤外線を全て利用して温熱効果および遠赤外線効果を全て有することができるフェイスマスク装置を提供することである。
【００１７】
本発明は、顔面着用が容易であり、着用時にも視野確保を通して活動範囲を拡大できる顔の皮膚治療のためのフェイスマスクを提供するものである。
【００１８】
また、遠赤外線の損失を減らして効果的な顔の治療効果と、金と銀の皮膚活性化および抗菌機能を提供できるフェイスマスク装置を提供するものである。
【００１９】
また、金と銀を含むマスクパッド、さらにファブリックマスクを通して顔の皮膚に金の血液循環促進、皮膚活性化効果と銀の抗菌機能を有するフェイスマスク装置を提供するものである。
【００２０】
また、顔部位の皮膚状態によって電流を差等的に提供して顔部位の皮膚状態によって顔部位に最適な熱および遠赤外線を供給するフェイスマスク装置を提供するものである。
【００２１】
また、外部通信装置と連動を通して使用者の顔イメージの提供を受ける場合に、顔イメージだけで使用者の顔の皮膚状態を分析して該当部位に最適な美容および治療効果を与えることができるフェイスマスク装置を提供するものである。
【課題を解決するための手段】
【００２２】
本発明の一実施例に係る皮膚美容マスク装置は、フェイスマスク、前記フェイスマスクに装着され、使用者の顔に熱または遠赤外線を利用して美容効果を与えるマスクパッド、そして、前記マスクパッドの特定部位に電流を差等供給することができ、前記使用者の顔に熱または遠赤外線を差等的に発散するように制御する制御部を含む。
【００２３】
前記マスクパッドに連結されており、前記マスクパッドから所定間隔離れているリモコンをさらに含み、前記制御部は、前記リモコンに形成されており、前記リモコンを通して前記マスクパッドに電流が供給され得る。
【００２４】
前記皮膚美容マスク装置は、前記リモコンに形成されている電源部をさらに含むことができる。
【００２５】
前記皮膚美容マスク装置は、前記フェイスマスクに形成されるバッテリーをさらに含むことができる。
【００２６】
前記制御部は、前記フェイスマスクに形成されており、前記バッテリーから出力される電流を前記マスクパッドの特定部位に差等供給し、前記使用者の顔に熱または遠赤外線を差等的に発散するように制御できる。
【００２７】
前記皮膚美容マスク装置は、金または銀が含まれているファブリック顔面マスクをさらに含んでおり、前記ファブリック顔面マスクは、前記マスクパッドから伝達される熱または遠赤外線を通して、前記金が提供する皮膚老廃物を除去および血液循環を増進させる機能と、前記銀が提供する細菌を殺菌する機能を前記使用者の顔の皮膚に直接的に提供できる。
【００２８】
前記マスクパッドは、熱と遠赤外線を発生する遠赤外線発生パッド、そして、熱と遠赤外線を反射する遠赤外線反射パッドを含むことができ、前記遠赤外線発生パッドは、前記フェイスマスクに接しており、前記遠赤外線反射パッドは、前記遠赤外線発生パッドに装着されており、前記遠赤外線反射パッドは、前記遠赤外線発生パッドで発生する熱および遠赤外線を前記使用者の顔方向に反射させることができる。
【００２９】
前記遠赤外線発生パッドは、面状発熱体パッドであって、第１フレキシブル基板層、前記第１フレキシブル基板上に銀ペーストが第１パターンを有するように印刷されており、電流が供給される場合に熱が発生する熱発生層、およびカーボン系のグラファイトまたはカーボンナノチューブ（ＣＮＴ：Ｃａｒｂｏｎ  Ｎａｎｏ  Ｔｕｂｅ）が前記熱発生層上に第２パターンを有するように印刷されており、前記熱発生層で発生する熱を利用して遠赤外線を発生させる遠赤外線発生層を含むことができる。
【００３０】
前記遠赤外線発生パッドは、２つ以上の遠赤外線発生部を含むことができ、前記２つ以上の遠赤外線発生部は、互いに離隔されるように形成され得る。
【００３１】
前記遠赤外線発生パッドは、互いに離隔された額部位の遠赤外線発生部、目の周りの遠赤外線発生部、およびほうれい線部の遠赤外線発生部を含むことができる。
【００３２】
前記遠赤外線反射パッドは、第２フレキシブル基板層、および前記第２フレキシブル基板上に銀ペーストがコーティングされて形成されている遠赤外線反射層を含むことができる。
【００３３】
前記遠赤外線反射パッドは、前記遠赤外線反射層に形成されている金蒸着層をさらに含むことができる。
【００３４】
前記皮膚美容マスク装置は、前記制御部の制御信号入力のための入力部をさらに含み、前記入力部は、手動操作を通して前記制御信号を生成するか、または音を通して前記制御信号を生成できる。
【００３５】
前記皮膚美容マスク装置は、通信部、そして、前記マスクパッドに連結されており、前記制御部が形成されており、前記マスクパッドから所定間隔離れているリモコンをさらに含み、前記リモコンは、前記通信部と通信を遂行して前記制御部を遠隔で制御し、前記制御部で生成した動作状態信号を受信して前記マスク装置の動作状態情報を表示することができる。
【００３６】
前記皮膚美容マスク装置は、前記マスクパッドに連結されており、前記マスクパッドから所定間隔離れているリモコン、そして、前記リモコンと通信を遂行して連動する移動通信端末機をさらに含み、前記移動通信端末機は、カメラモジュールを含み、前記カメラモジュールを通して使用者の顔イメージ情報を生成し、前記使用者の顔イメージ情報を分析して前記使用者の顔の特定部位の皮膚状態を把握し、前記使用者の顔の特定部位の皮膚状態に対する情報を有している使用者の顔の皮膚状態情報を前記リモコンに伝送し、前記リモコンは、前記使用者の顔の皮膚状態情報を利用して、前記使用者の顔の該当部位に位置する前記マスクパッドの特定部位の電流供給を制御して熱または遠赤外線を前記使用者の顔部位の皮膚状態によって差等的に供給できる。
【００３７】
前記マスクパッドは、熱と遠赤外線を発生する遠赤外線発生パッドおよび熱と遠赤外線を反射する遠赤外線反射パッドを含んでおり、前記遠赤外線反射パッドは、金を含む金箔シート、銀を含む銀箔シート、金と銀が混合されている混合シートのいずれか一つを含み、前記使用者の顔が位置する部分に遠赤外線または熱が一様に広がるようにすることができる。
【００３８】
前記皮膚美容マスク装置は、金または銀成分が全体的に含まれているファブリック顔面マスクをさらに含み、前記ファブリック顔面マスクは、使用者の顔の老廃物状態を表示できる皮膚状態表示部を含むことができる。
【００３９】
本発明の一実施例に係る金と銀を含む複合層構造が適用された皮膚美容マスク装置は、フェイスマスク、前記フェイスマスクに形成されており、金と銀を含む複合層構造で形成され、使用者の顔に熱または遠赤外線を利用して美容効果を与えるマスクパッド、そして、電流供給と温度調節を制御できる制御部を含み、前記マスクパッドは、前記フェイスマスクの一面に形成されており、熱と遠赤外線を発生する遠赤外線発生パッド、そして、前記遠赤外線発生パッドの一面に形成されており、熱と遠赤外線を使用者の顔方向に反射する遠赤外線反射パッドを含む。
【００４０】
前記遠赤外線発生パッドは、銀ペーストが第１パターンを有するように印刷されている熱発生層、そして、カーボン系のグラファイトまたはカーボンナノチューブ（ＣＮＴ：Ｃａｒｂｏｎ  Ｎａｎｏ  Ｔｕｂｅ）が前記熱発生層上に第２パターンを有するように印刷されている遠赤外線発生層を含むことができ、前記遠赤外線反射パッドは、金を含む金箔シート、銀を含む銀箔シート、金と銀が混合されている混合シートのいずれか一つを含むことができる。
【発明の効果】
【００４１】
本発明の一実施例に係る皮膚美容マスク装置は、使用者が顔に着用し、熱および遠赤外線を利用して顔の皮膚にシワ改善、毛穴管理のような皮膚美容効果と、血液循環改善のような皮膚健康増進効果を同時に提供できる効果がある。
【００４２】
また、熱を通して遠赤外線を放出する金と銀を含む複合層構造が適用されているため、金と銀による抗菌抗酸化効果だけではなく、熱と遠赤外線を全て利用するので、皮膚の血液循環改善と皮膚老化抑制の効果を有している。
【００４３】
また、金と銀が含まれたマスクパッドまたはファブリック顔面マスクを使用者の顔に着用し、さらに熱および遠赤外線を使用するので、銀成分による抗菌と殺菌作用が銀を単独で使用する場合より優れ、金成分による皮膚抗酸化作用と皮膚活性化効能および皮膚の血液循環改善効果が金を単独で使用する場合より優れる。
【００４４】
また、使用者の顔部位によって互いに異なる熱と遠赤外線を提供でき、使用者の顔部位の皮膚状態によって該当部位に効果的に熱と遠赤外線を差等的に提供でき、使用者の顔の全体部位に同じ熱と遠赤外線を提供する既存のマスク治療装置より効果的な皮膚改善効果を有することができる。
【００４５】
また、本発明は、同じ電源容量を有する場合に、必要な部位にのみ必要なだけ電流を供給でき、顔全体に同じ電流を提供する既存のフェイスマスク装置に比べてエネルギー効率が良い効果がある。
【図面の簡単な説明】
【００４６】
【図１】本発明の一実施例に係る皮膚美容マスク装置の外形を示した図である。
【図２】本発明の他の実施例に係る美容マスク装置を説明するための図である。
【図３】本発明のファブリック顔面マスクを示した図である。
【図４】本発明のフェイスマスクを分解した図である。
【図５】本発明のマスクパッドのうち遠赤外線発生パッドを説明するために示した図である。
【図６】本発明の一実施例で２層で構成されたマスクパッドの構造を示した図である。
【図７】本発明の一実施例でマスクパッドが使用者の顔部位によって分離されたことを示した図である。
【図８】本発明の一実施例でリモコンの構成を説明するために示した図である。
【図９】本発明の一実施例でフェイスマスクの内部構造に形成された通気孔を示した図である。
【図１０】ファブリック顔面マスクの構造の一実施例を示した図である。
【図１１】本発明の遠赤外線反射パッドが金箔シートで構成されていることを示した図である。
【図１２】遠赤外線反射パッドによる効果を説明するための図である。
【図１３】遠赤外線反射パッドによる効果を説明するための図である。
【発明を実施するための形態】
【００４７】
本発明の利点および特徴、そして、それらを達成する方法は、添付の図面と共に詳細に後述される実施例を参照すれば、明確になるだろう。
【００４８】
しかし、本発明は、以下において開示される実施例に限定されるものではなく、互いに異なる様々な形態で具現されるだろう。
【００４９】
本明細書において、本実施例は、本発明の開示が完全なものとなるようにし、本発明の属する技術の分野における通常の知識を有する者に発明の範疇を完全に知らせるために提供されるものである。
【００５０】
以下、添付の図面を参照して本発明の好ましい実施例について説明する。
【００５１】
図１は、本発明の一実施例に係る皮膚美容マスク装置の外形を示した図である。
【００５２】
本発明である皮膚美容マスク装置は、フェイスマスク１００とリモコン２００とを含む。
【００５３】
フェイスマスク１００は、使用者が顔に着用し、熱および遠赤外線を利用して顔の皮膚にシワ改善、毛穴管理のような皮膚美容効果と血液循環改善のような皮膚健康増進効果を提供する。
【００５４】
このために、フェイスマスク１００は、熱および遠赤外線を発生させるマスクパッドを内部に含んでいる。
【００５５】
マスクパッドについての説明は、今後、図４乃至図７を参照して詳細に説明する。
【００５６】
リモコン２００は、フェイスマスク１００の熱および遠赤外線の発生程度を制御し、熱および遠赤外線の発生部位を制御する機能を果たす。
【００５７】
使用者は、リモコン２００を操作してフェイスマスク１００の機能を制御できる。
【００５８】
また、リモコン２００を通して、使用者の顔の皮膚状態情報を利用して、使用者の顔の皮膚状態に最適化された熱または遠赤外線が提供されるようにフェイスマスク１００の機能を自動的に制御できる。このとき、リモコン２００に制御部２５０が形成され得る。
【００５９】
リモコン２００は、有線でフェイスマスク１００に連結される。この場合、バッテリーのような電源部をリモコン２００に内蔵し、電源ケーブルでフェイスマスク１００に電源を供給するため、電磁波による影響を減少させる長所がある。
【００６０】
また、リモコン２００は、スマートフォンのような外部通信装置と通信を通して連結可能であり、外部通信装置から使用者の顔の皮膚状態情報を受信し、それを利用してフェイスマスク１００の熱および遠赤外線発生機能を制御できる。
【００６１】
例えば、リモコン２００は、スマートフォンとワイファイ、ブルートゥース等のような近距離通信方式を通して通信を遂行するか、またはＣＤＭＡ／ＬＴＥのような移動通信の通信方式を通して連結される。そして、スマートフォンは、カメラモジュールを通して使用者の顔イメージを生成し、使用者の顔イメージを分析して使用者の顔の皮膚状態を分析し、それに関する情報をリモコン２００に伝送する。そして、リモコン２００は、スマートフォンから受信した使用者の顔の皮膚状態情報を利用して、フェイスマスク１００の熱および遠赤外線機能を分析された情報に相応して制御できる。
【００６２】
しかし、有線で連結されたリモコン２００は、省略され得る。この場合、図２（ａ）から見られるように、無線リモコン２０１を利用してフェイスマスク１００の熱と遠赤外線の発生程度および発生部位を制御できる。この場合、フェイスマスク１００にバッテリー（図示しない）、制御部（図示しない）および無線通信部（図示しない）が形成され得る。
【００６３】
バッテリーは、マスクパッドに電流を供給し、制御部は、無線通信部を通してリモコンから制御信号を受信し、バッテリーから出力される電流の強度を制御してマスクパッドに供給される電流の量を制御できる。
【００６４】
無線通信部は、ジグビー（ｚｉｇｂｅｅ）、ブルートゥース（Ｂｌｕｅｔｏｏｔｈ）等のような近距離無線通信方式を利用する無線通信装置、ワイファイ（ＷｉＦｉ）無線通信方式を利用する無線通信装置、ＣＤＭＡ／ＬＴＥのような移動通信の通信方式を利用する無線通信装置を含むことができる。
【００６５】
ここで、無線リモコン２０１は、スマートフォンであってもよい。無線リモコン２０１がスマートフォンである場合は、スマートフォンにソフトウェアを設置し、該当ソフトウェアを通してマスク制御部を操作できる。
【００６６】
また、本発明は、図２（ｂ）から見られるように、有線で連結されたリモコン２００を省略し、その代わりに、フェイスマスク１００に入力部２０２、バッテリー（図示しない）、制御部（図示しない）が形成され得る。使用者がフェイスマスク１００に形成された入力部２０２を操作して熱と遠赤外線の発生程度および発生部位を制御できる。入力部２０２は、ボタン入力装置、タッチパッド入力装置、ダイヤル入力装置等、手動操作を通して制御信号を生成する全ての入力装置となり得る。
【００６７】
手動操作入力部の代わりに音によって制御部を操作することもできる。音を利用して操作するためには、本発明にマイク（図示しない）が含まれ得る。この場合、使用者の音声や予め設定された特定音によってマスク制御部を操作できる。
【００６８】
本発明は、使用者の着用しやすさのために、使用者の頭のうち前面部である顔に該当する部分に接触され得るようにフェイスマスク１００が形成されており、フェイスマスク１００の上側部には、着用バンド（図３参照）１０２が形成され得る。本発明に係る皮膚美容マスク装置が使用者に顔に着用されるために、ベルクロ方式、ベルト方式等、既存に知られた様々な方式が適用され得る。
【００６９】
フェイスマスク１００の前面部には、視野確保のために眼球の周りを開放し、外部方向に透過率５０％以下、内部方向に反射率７０％以上の視野確保用カバー１０１が形成されている。
【００７０】
図３から見られるように、本発明の一実施例は、皮膚美容効果を増進させるために、ファブリック素材に金および銀が含まれているファブリック顔面マスク４００をさらに含むことができる。ファブリック顔面マスク４００は、ファブリック素材に金と銀がさらに含有されているマスクである。
【００７１】
ファブリック顔面マスク４００は、使用者が着用する形態で構成され、使用者が着用できるファブリック顔面マスクの着用バンド（図３参照）４０５が形成され得る。ファブリック顔面マスク４００が使用者の顔に着用されるために、ベルクロ方式、ベルト方式、耳に掛ける方式等、既存に知られた様々な方式が適用され得る。
【００７２】
使用者がファブリック顔面マスク４００を着用すると、ファブリック顔面マスク４００に含まれている金および銀が使用者の顔の皮膚に直接的に接するようになるので、金と銀の血液改善および皮膚美容改善機能が使用者の顔の皮膚に直接的に影響を与えることができる。
【００７３】
従って、ファブリック顔面マスク４００をさらに着用して本発明のフェイスマスク１００を利用すると、熱および遠赤外線を通した皮膚改善機能に加えて金と銀による血液循環および皮膚美容改善機能が倍加できる。即ち、金が提供する皮膚老廃物を除去および血液循環を増進させる機能と、銀が提供する細菌を殺菌する機能が熱と遠赤外線を通してより効果的に使用者の顔の皮膚に適用され得る。
【００７４】
ファブリック顔面マスク４００は、着用バンド４０５を利用して使用者が着用するものと示しているが、フェイスマスク１００の使用者の顔と接する内側面に装着される形態で構成され得る。このような構成の場合は、ファブリック顔面マスク４００には、フェイスマスク１００の内側面と脱着可能な構成が加えられ得る。例えば、ファブリック顔面マスク４００およびファブリック顔面マスク４００と接するフェイスマスク１００の内側面にベルクロ等が形成されており、それを通してファブリック顔面マスク４００がフェイスマスク１００に脱着可能であるようにすることができる。
【００７５】
ファブリック顔面マスク４００で使用者の目が位置する部分４０１、鼻が位置する部分４０２、および口が位置する部分４０３には、視野確保、呼吸および対話のための孔がそれぞれ形成され得る。
【００７６】
図４乃至図７を参照してフェイスマスクに形成されているマスクパッドについて具体的に説明する。
【００７７】
本発明のフェイスマスク１００は、内部フェイスマスク１１０とフェイスマスクカバー１２０とで構成される。
【００７８】
内部フェイスマスク１１０には、図４（ａ）に示されたようなマスクパッド３００が装着されている。
【００７９】
マスクパッド３００は、内部フェイスマスク１１０とフェイスマスクカバー１２０との間に位置する。
【００８０】
マスクパッド３００は、内部フェイスマスク１１０に装着され、使用者の顔に熱および遠赤外線を放出して熱と遠赤外線による皮膚美容効果を提供する。
【００８１】
内部フェイスマスク１１０およびフェイスマスクカバー１２０には、視野確保のための視野孔１０３が形成されており、内部フェイスマスク１１０の視野孔１０３の周りにマスクパッド３００が装着される。
【００８２】
内部フェイスマスク１１０の使用者の顎部分の位置には、リモコン２００との連結のためのリモコン連結部１５０が形成されており、リモコン連結部１５０から電源線１５１を通してマスクパッド３００に電流が供給される。
【００８３】
リモコン連結部１５０とリモコン２００は、リモコンケーブル１７０を通して電気的に連結されている。
【００８４】
本発明が無線リモコン２０１を使用する場合は、リモコン連結部１５０は、無線通信装置を含んで構成され、無線リモコン２０１と無線通信方式で通信を遂行する。
【００８５】
本発明がフェイスマスク１００に構成された入力部を通して制御機能を果たす場合は、リモコン連結部１５０は省略され得る。
【００８６】
本発明のマスクパッド３００は、遠赤外線発生パッド３１０および遠赤外線反射パッド３２０を含む。遠赤外線発生パッド３１０は、熱および遠赤外線を発生するパッドであり、遠赤外線反射パッド３２０は、遠赤外線発生パッド３１０に装着され、遠赤外線発生パッド３１０で発生する熱および遠赤外線を使用者の顔方向に反射させる機能を果たす。
【００８７】
遠赤外線発生パッド３１０は、熱および遠赤外線を発生する面状発熱体パッドであって、図６（ａ）に示されているように、第１フレキシブル基板層、熱発生層３１１および遠赤外線発生層３１２を含む。
【００８８】
第１フレキシブル基板層は、内部フェイスマスク１１０に装着され、内部フェイスマスク１１０の輪郭によって形態が容易に変更され得るようにフレキシブルな材質で構成される。
【００８９】
熱発生層３１１は、第１フレキシブル基板層上に形成され、熱を発生する機能を有する層である。熱発生層３１１は、シルバー、シルバーパウダまたはシルバーナノワイヤ等で形成されたシルバーペーストがスクリーンプリント技法で第１フレキシブル基板上に第１パターンを有するように印刷されている。第１パターンを形成する方法は、スクリーンプリント技法以外にも公知の様々な方法が用いられ得る。第１パターンに電流が供給されると、第１パターンで熱が発生する。第１パターンは、銀を含んで形成され得る。
【００９０】
遠赤外線発生層３１２は、熱発生層３１１で発生した熱を遠赤外線に変換させる機能を有する。このために、遠赤外線発生層３１２は、カーボン系のグラファイトまたはカーボンナノチューブ（ＣＮＴ：Ｃａｒｂｏｎ  Ｎａｎｏ  Ｔｕｂｅ）がスクリーンプリント技法で熱発生層３１１上に第２パターンを有するように印刷されている。第２パターンを形成する方法は、スクリーンプリント技法以外にも公知の様々な方法が用いられ得る。
【００９１】
熱発生層３１１に形成されている第１パターン３１５１と、遠赤外線発生層３１２に形成されている第２パターン３１５２は、図５に示されているように、互いに重なるように形成され得る。
【００９２】
第１パターン３１５１および第２パターン３１５２は、同一類似したパターンで互いに重なっており、互いに重なった前記第１パターン３１５１および前記第２パターン３１５２は、熱および遠赤外線を放出する熱遠赤外線発生部３１５を形成するようになる。
【００９３】
図５を参照すると、熱遠赤外線発生部３１５は、遠赤外線発生パッド３１０に形成された熱および遠赤外線を放出する構造であって、２つの層である熱発生層３１１および遠赤外線発生層３１２にそれぞれ第１パターン３１５１および第２パターン３１５２が形成されており、第１パターン３１５１および第２パターン３１５２は、互いに重なって熱遠赤外線発生部３１５を形成する。
【００９４】
熱遠赤外線発生部３１５の第１パターン３１５１では熱が発生し、発生した熱は第２パターン３１５２に影響を与えて第２パターン３１５２で遠赤外線が放出されるようにする。
【００９５】
熱遠赤外線発生部３１５は、電流の供給を受けるために電源線１５１が連結されている。
【００９６】
第１パターン３１５１は、上述したように、シルバー、シルバーパウダまたはシルバーナノワイヤで形成されたシルバーペーストが所定のパターンを有するように形成されており、電源線１５１を通して電流の供給を受けて熱を発生する。第２パターン３１５２は、カーボン系のグラファイトまたはカーボンナノチューブ（ＣＮＴ）がスクリーンプリント技法等で前記第１パターンに重なるように形成されており、第１パターン３１５１で発生する熱を利用して遠赤外線を発生させる。
【００９７】
即ち、熱伝導率の高いシルバーペーストで構成された第１パターン３１５１に電流が供給されると熱が発生し、発生した熱が第２パターン３１５２に伝えられるようになり、第２パターンで遠赤外線が発生する。
【００９８】
遠赤外線反射パッド３２０は、遠赤外線反射パッド３２０で生成された熱および遠赤外線を反射する機能を果たす。
【００９９】
このために、遠赤外線反射パッド３２０は、図６（ｂ）に示されたように、第２フレキシブル基板層、遠赤外線反射層３２１および金蒸着層３２２を含む。
【０１００】
第２フレキシブル基板層は、遠赤外線発生パッド３１０上に装着され、フレキシブルな材質で構成されている。
【０１０１】
遠赤外線反射層３２１は、遠赤外線反射率の高いシルバー（銀）、シルバー（銀）パウダまたはシルバー（銀）ナノワイヤで形成されたシルバー（銀）ペーストがスクリーンプリント技法または真空蒸着法等を用いて前記第２フレキシブル基板上にコーティングされる。遠赤外線反射層３２１は、熱および遠赤外線反射特性を有する。
【０１０２】
遠赤外線反射層３２１上には、金蒸着層３２２が形成され得る。金蒸着層３２２は、遠赤外線反射層３２１上に蒸着方法等を通してコーティングされ得る。金蒸着層３２２は、四方に伝えられる遠赤外線および熱が使用者の顔方向によりよく進行できるように遠赤外線および熱を反射する機能および遠赤外線反射層を保護する機能を果たす。
【０１０３】
しかし、金蒸着層３２２は、省略され得る。
【０１０４】
また、遠赤外線反射パッドは、銀を含む銀箔シート、金を含む金箔シート、金と銀が全て含まれた混合シートのいずれか一つで形成され得る。
【０１０５】
結局、本発明のマスクパッド３００は、金と銀を含む複合層構造で形成されており、抗菌、老化抑制、血液循環改善等の効果を有する。
【０１０６】
本発明の遠赤外線発生パッド３１０は、全体的に連結された一つに形成されてもよいが（図５参照）、使用者の顔の特定部位の皮膚状態によってそれぞれ異なる熱と遠赤外線を提供するために、２つ以上の部分に分離されてもよい（図７参照）。
【０１０７】
図７を参照すると、遠赤外線発生パッド３１０は、額部位の遠赤外線発生部３１０１、目の周りの遠赤外線発生部３１０２、およびほうれい線部の遠赤外線発生部３１０３が互いに離隔された状態で形成され得る。
【０１０８】
額部位の遠赤外線発生部３１０１は、使用者の額部位に位置し、額に熱および遠赤外線を提供して額に生成されたシワや皮膚状態を集中的に改善する。
【０１０９】
目の周りの遠赤外線発生部３１０２は、使用者の目の周りに位置し、目じりの部分に熱および遠赤外線を提供して目じりの周りに生成された目じりのシワやくまを治療する。
【０１１０】
ほうれい線部の遠赤外線発生部３１０３は、使用者のほうれい線のある部位に位置し、ほうれい線が形成される位置に熱および遠赤外線を提供してほうれい線を改善する。
【０１１１】
額部位の遠赤外線発生部３１０１、目の周りの遠赤外線発生部３１０２、およびほうれい線部の遠赤外線発生部３１０３は、バッテリーが形成されたリモコン２００から別途の電源線に電源（電流）の供給を受けてそれぞれ互いに異なる熱と遠赤外線を差等的に該当部位に提供できる。
【０１１２】
遠赤外線発生パッド３１０の熱発生層３１１は、それぞれ電流の差等供給を受けるために、上述したように３つの構成部に区分されて形成されるとき、遠赤外線発生層３１２も分離されて形成されるか、または全体的に連結された一つに構成され得る。
【０１１３】
遠赤外線発生パッド３１０が２つ以上の部分に分離されて形成される場合、遠赤外線反射パッド３２０は、遠赤外線発生パッド３１０と同様に分離されて形成されてもよく、全体的に一つに形成されてもよい。
【０１１４】
本発明は、上述したように、遠赤外線発生パッド３１０が使用者の顔部位の皮膚状態によって該当部位に効果的に熱と遠赤外線を差等的に提供でき、使用者の顔の全体部位に同じ熱と遠赤外線を提供する装置に比べてより効果的な皮膚改善特徴を有することができる。
【０１１５】
また、同じ電源容量を有する場合に、必要な部位にのみ必要なだけ電流を供給することができ、顔全体に同じ電流を提供する既存のフェイスマスク装置に比べて電源節減効果があり、バッテリーの使用時間をより長く使用することができる特徴がある。
【０１１６】
図８は、本発明の一実施例でリモコンの構成を示した図であり、これを参照してリモコン２００について具体的に説明する。
【０１１７】
リモコン２００は、通信部２１０、入力部２２０、電源部２３０、電流分配部２４０、および制御部２５０を含むことができる。
【０１１８】
通信部２１０は、外部通信装置と通信を遂行する機能を果たす。しかし、省略されてもよい。
【０１１９】
通信部２１０は、使用者のスマートフォンと通信を遂行し、スマートフォンから使用者の顔の皮膚状態情報を受信することができる。このために、通信部２１０は、ブルートゥース、ワイファイ等のような近距離通信モジュールを含んで構成され得、ＣＤＭＡ／ＬＴＥのような移動通信モジュールを含んで構成されてもよい。
【０１２０】
入力部２２０は、使用者がリモコン２００を操作するための入力装置部であり、キーパッドを含んで構成されてもよく、タッチパネルを含んで構成されてもよい。
【０１２１】
入力部２２０は、入力状態およびリモコン２００の動作状態を表示するディスプレイ装置を含んでもよい。
【０１２２】
電源部２３０は、リモコン２００およびマスクパッド３００に電源を供給する装置部であり、バッテリーまたは電源変換装置を含んで構成され得る。
【０１２３】
電流分配部２４０は、マスクパッド３００に電流を供給する構成部であり、使用者の顔の皮膚状態に合うように必要な大きさの電流をマスクパッド３００に分配する。
【０１２４】
遠赤外線発生パッド３１０が２つ以上に離隔されて形成される場合は、該当部位にそれぞれ異なる電流を分配する機能を果たす。
【０１２５】
制御部２５０は、リモコン２００の機能を制御し、マスクパッドおよび遠赤外線発生パッド３１０に必要な電流が供給されるように制御する。
【０１２６】
制御部２５０は、使用者の顔の皮膚状態に対する情報を受信する場合に、使用者の皮膚状態を分析して使用者の皮膚状態を判断し、該当する顔部位に美容または治療効果を最適に提供するために、該当部位に合う熱と遠赤外線を供給するために必要な電流量を計算して電流分配部２４０を制御し、該当部位に必要な電流が分配され得るように制御する。
【０１２７】
リモコン２００は、使用者の顔の皮膚状態情報が格納されている格納部（図示しない）をさらに含むことができる。
【０１２８】
格納部に格納されている使用者の顔の皮膚状態情報を利用して、制御部２５０は、使用者の顔部位に必要な熱および遠赤外線量を計算し、該当する熱および遠赤外線が該当部位に提供され得るように電流分配部２４０を制御することができる。
【０１２９】
本発明の一実施例で外部通信装置と通信を遂行して使用者の顔に熱および遠赤外線を提供することを説明すると、次のとおりである。
【０１３０】
ここで、外部通信装置は、スマートフォンであると仮定する。
【０１３１】
使用者は、自身のスマートフォンのカメラモジュールを利用して使用者の顔イメージを生成し、スマートフォンは、生成された使用者の顔イメージを分析して顔の各部位の皮膚状態を見出し、該当部位の皮膚状態情報をリモコン２００に伝送することができる。ここで、このような動作を遂行するために、スマートフォンには、本発明のリモコン２００と連動できるプログラムが設置されていてよい。
【０１３２】
また、他の実施例で、スマートフォンは、生成した使用者の顔イメージをリモコン２００に伝送し、リモコン２００は、受信した使用者の顔イメージを制御部２５０で分析して使用者の顔部位に対する皮膚状態を見出すことができる。
【０１３３】
このように、リモコン２００の制御部２５０は、スマートフォンから受信した使用者の顔の皮膚状態情報または制御部２５０で生成した使用者の顔の皮膚状態情報を利用して、該当顔部位の皮膚美容や皮膚健康のために最適な熱および遠赤外線が提供され得るように電流分配部２４０を制御し、使用者の顔の該当部位に合う電流が供給されるようにすることができる。
【０１３４】
即ち、制御部２５０は、額部位の遠赤外線発生部３１０１、目の周りの遠赤外線発生部３１０２、およびほうれい線部の遠赤外線発生部３１０３にそれぞれ該当部位に合う熱および遠赤外線が提供され得るように電流を差等的に供給することができる。
【０１３５】
図９は、本発明の一実施例でフェイスマスクの内部構造に形成された通気孔を示した図である。
【０１３６】
金と銀を含む複合層構造が適用された皮膚美容マスク装置は、内部フェイスマスク１１０の内側面に使用者の顎が位置する部分に通気のための通気孔１６０が形成され得る。このような通気孔を通して、使用者は、フェイスマスク１００を着用した場合にも呼吸および対話が自由にできる。
【０１３７】
図１０は、ファブリック顔面マスクの構造を示した図である。図１０を参照すると、本発明のファブリック顔面マスク４００は、上述したように、ファブリック素材に金と銀がさらに含有されて構成され、ひいては皮膚状態表示部４１１、４２１、４３１をさらに含むことができる。
【０１３８】
金と銀は、ファブリック素材に均一な密度で一様に分布され、皮膚改善がより必要な部分に他の部分より多くの密度で分布されて構成されてもよい。例えば、額部位４１０と目じり部位４２０およびほうれい線部位４３０に金および銀の密度がさらに多く分布されるようにすることができる。
【０１３９】
また、遠赤外線発生パッドが、額部位の遠赤外線発生部３１０１、目の周りの遠赤外線発生部３１０２、およびほうれい線部の遠赤外線発生部３１０３のように複数個で構成される場合、その部位に相応するファブリック顔面マスク部位に前記金と銀の密度が他の部位よりさらに高く形成されるようにすることができる。
【０１４０】
ファブリック顔面マスク４００は、銀を含んで構成されるので、使用者の顔に微生物の殺菌効果を直接的に与えることができる。本発明のファブリック顔面マスク４００の面の全体に金パッド、銀パッド、および金銀パッドが脱着可能であるように作られてもよい。さらに、使用者は、所望の部位にのみ金パッド、銀パッド、および金銀パッドを装着し、金および銀を通した血液改善および皮膚美容効果が倍加するようにファブリック顔面マスク４００を使用者に合わせて構成することができる。
【０１４１】
皮膚状態表示部４１１、４２１、４３１は、使用者の顔の老廃物状態を表示することができる。
【０１４２】
皮膚状態表示部４１１、４２１、４３１は、使用者の体で発生する毒素成分と結合して本来の色から他の色に変わる物質を含んで形成され得る。従って、皮膚状態表示部４１１、４２１、４３１が変わる色の程度を見て使用者の皮膚老廃物状態が分かる。
【０１４３】
例えば、皮膚状態表示部４１１、４２１、４３１がリトマス紙で形成される場合、使用者の皮膚老廃物状態が酸性であるかアルカリ性であるかによって異なる指示色に変わるようになり、使用者の老廃物状態とその程度を指示できる。従って、皮膚状態表示部４１１、４２１、４３１は、ファブリック顔面マスク４００の取り替え周期を知らせることができる。
【０１４４】
図１１は、本発明の遠赤外線反射パッドが金箔シートで構成されていることを示した図である。図１１を参照すると、遠赤外線反射パッド３２０が一つの反射シート３２５で形成され、遠赤外線発生パッド３１０の上に装着されている。
【０１４５】
反射シート３２５は、銀を含む銀箔シート、金を含む金箔シート、金と銀が全て含まれた混合シートのいずれか一つとなり得、銀箔シート、金箔シート、混合シートはいずれも熱および遠赤外線を使用者の顔方向に反射する機能を果たす。
【０１４６】
反射シート３２５は、遠赤外線発生パッド３１０の一部の面積に形成されてもよく（図１１（ａ）参照）、または遠赤外線発生パッド３１０の全ての面積に形成されてもよい（図１１（ｂ）参照）。
【０１４７】
図１２および図１３を参照して遠赤外線反射パッドによる効果を説明する。
【０１４８】
上述したように、遠赤外線反射パッドは、四方に伝えられる遠赤外線および熱が使用者の顔方向によりよく進行できるように遠赤外線および熱を反射する機能を果たす。
【０１４９】
本発明のように遠赤外線反射パッドが適用された製品と、遠赤外線反射パッドが適用されていない製品に対して実験を進行しており、図１２は、金箔シートを使用しなかった場合の結果であり、図１３は、金箔シートを適用した場合の結果である。図１３の実験で遠赤外線反射パッドとして２０μｍ、３５μｍの厚さの金箔シート（図１１（ｂ）参照）を使用した。そして、同じ箇所の温度を比較するために、使用者の額位置の温度を比較することとする。
【０１５０】
図１２と図１３を見れば、白色ボックスで表示された額位置Ａ内に同じ位置に該当する直線Ｂ上での最大温度と最小温度を測定した。
【０１５１】
図１２を見れば、額部位の最大温度は約４６．６度であり、額位置の同じ直線上での最大温度と最小温度の偏差は約１１．２度と示された。
【０１５２】
図１３を見れば、金箔シートの厚さが２０μｍである場合（〇で囲んだ１で表示）、額部位の最大温度が約４４．６度であり、額部位の同じ位置である直線上での最大温度と最小温度の差は約７．２度である。金箔シートの厚さが３５μｍである場合（〇で囲んだ２で表示）、額部位の最大温度は約４２．８度であり、額部位の同じ位置である直線上での最大温度と最小温度の偏差は約５．７度である。
【０１５３】
図１２と図１３の実験結果をまとめると、下記［表１］のとおりである。
【０１５４】
【表１】
2019193770.tif 000003
前記表から見られるように、遠赤外線反射パッドを使用しなかったものより、本発明のように遠赤外線反射パッドを使用した場合、使用者の顔部位に分布される熱または遠赤外線が均一に分布されることが分かった。
【０１５５】
本発明の特徴をまとめると、次のとおりである。
【０１５６】
金は、人体に無害で電気度に優れた微細電流が流れる。特に、純金は、イオンの移動を正常化させて血液循環と皮膚生理機能、細胞再生機能を活発にすると言われる。即ち、血液循環を促進させ、同時に静脈とリンパ系が老廃物を迅速に取り入れるように助けるのである。また、血液は、肺を通るとき、ヘモグロビンが酸素と結合して酸素を真皮層の毛細血管まで運搬するが、この過程で、金は、皮膚の循環周期を促進して皮膚の速い再生を助ける。
【０１５７】
特に、金の正電荷は、ホルモン分泌に作用して皮膚の若さを維持させ、心身を安定させる。古代文献に漠然として記されていた金の血液循環促進、再生促進、浄化作用、心身安定効果等が生体電流との関係で説明されるのである。
【０１５８】
また、銀（シルバー）は、天然の完璧な抗生物質であって、いかなる種類の副作用も伴うことなく細菌を無くす。即ち、銀は、アニオンを放出して老廃物と疾病等の抵抗力を高め、新陳代謝率を高めて人体の生理作用を円滑にし、大気環境汚染物質を除去して、人体の成長発育と細胞再生に効果的である。
【０１５９】
従って、本発明のように、金と銀を使用し、さらに熱と遠赤外線を同時に使用することで、金と銀の活性度を高めて敏感な皮膚や老化した荒い皮膚、水分の足りない乾燥した皮膚、肌色が明るくない皮膚、炎症のある問題性皮膚を血液循環と老廃物除去のような皮膚生理機能および細胞再生機能を通して正常で弾力のある健康な皮膚に再生させることができる。
【０１６０】
本発明は、上述の特定の好ましい実施例に限定されず、請求の範囲において請求する本発明の要旨を外れることなく当該発明の属する技術の分野における通常の知識を有する者であれば誰でも様々な変形実施が可能であることはもちろんであり、そのような変更は、請求の範囲に記載の範囲内にあるようになることは自明である。
【符号の説明】
【０１６１】
１００：フェイスマスク
１０１：視野確保用カバー
１０２：着用バンド
１０３：視野孔
１１０：内部フェイスマスク
１２０：カバーフェイスマスク
１５０：リモコン連結部
１５１：電源線
１６０：通気孔
１７０：リモコンケーブル
２００：リモコン
２０１：無線リモコン
２１０：通信部
２０２、２２０：入力部
２３０：電源部
２４０：電流分配部
２５０：制御部
３００：マスクパッド
３１０：遠赤外線発生パッド
３１０１：額部位の遠赤外線発生部
３１０２：目の周りの遠赤外線発生部
３１０３：ほうれい線部の遠赤外線発生部
３１１：熱発生層
３１２：遠赤外線発生層
３１５：熱遠赤外線発生部
３１５１：第１パターン
３１５２：第２パターン
３２０：遠赤外線反射パッド
３２１：遠赤外線反射層
３２２：金蒸着層
３２５：反射シート
４００：ファブリック顔面マスク
【図１】
2019193770.tif 000004
【図２】
2019193770.tif 000005
【図３】
2019193770.tif 000006
【図４】
2019193770.tif 000007
【図５】
2019193770.tif 000008
【図６】
2019193770.tif 000009
【図７】
2019193770.tif 000010
【図８】
2019193770.tif 000011
【図９】
2019193770.tif 000012
【図１０】
2019193770.tif 000013
【図１１】
2019193770.tif 000014
【図１２】
2019193770.tif 000015
【図１３】
2019193770.tif 000016